(57)【要約】【課題】映像信号の入力を検知した後に映像信号に応じた映像を表示させる際に、表示不良が発生することを防止することができる映像処理装置を提供すること。【解決手段】映像データと映像データの区切りを示す制御信号とを含んだ映像信号を受け付け、受け付けた映像信号から制御信号を検出し、映像データに含まれるフレーム画像間の区切りを示す制御信号であるフレーム開始信号が検出された後に、あらたに検出された制御信号に基づき、映像信号に基づく映像の正常な表示が可能となる表示可能時機を予測し、予測した表示可能時機の後、最初のフレーム開始信号を検出した場合に、映像の表示開始を指示するように映像処理装置を構成する。【選択図】図２
2011119804.tif 000002
【特許請求の範囲】
【請求項１】
映像データと前記映像データの区切りを示す制御信号とを含んだ映像信号を受け付ける受付手段と、
前記受付手段によって受け付けられた前記映像信号から前記制御信号を検出する制御信号検出手段と、
前記映像データに含まれるフレーム画像間の区切りを示す前記制御信号であるフレーム開始信号が前記制御信号検出手段によって検出された後に前記制御信号検出手段によってあらたに検出された前記制御信号に基づき、前記映像信号に基づく映像の正常な表示が可能となる表示可能時機を予測する予測手段と、
前記予測手段によって予測された表示可能時機の後、前記制御信号検出手段によって最初の前記フレーム開始信号が検出された場合に、前記映像の表示開始を指示する表示開始指示手段と
を備えたことを特徴とする映像処理装置。
【請求項２】
前記制御信号検出手段によって検出された前記フレーム開始信号の数を計数するフレーム開始信号計数手段
をさらに備え、
前記予測手段は、
前記制御信号検出手段によって前記フレーム開始信号が検知された後に前記フレーム開始信号計数手段によって計数された前記フレーム開始信号の数が所定の閾値に達した時機を、前記表示可能時機として予測することを特徴とする請求項１に記載の映像処理装置。
【請求項３】
前記フレーム画像に含まれるライン間の区切りを示す前記制御信号であるライン開始信号が前記制御信号検出手段によって検出された数を計数するライン開始信号計数手段
をさらに備え、
前記予測手段は、
前記制御信号検出手段によって前記フレーム開始信号が検知された後に前記ライン開始信号計数手段によって計数された前記ライン開始信号の数が所定の閾値に達した時機を、前記表示可能時機として予測することを特徴とする請求項１または請求項２に記載の映像処理装置。
【請求項４】
前記ラインのうち前記映像データが存在する区間を示す前記制御信号である存在区間信号が前記制御信号検出手段によって検出された数を計数する存在区間信号計数手段
をさらに備え、
前記予測手段は、
前記制御信号検出手段によって前記フレーム開始信号が検知された後に前記存在区間信号計数手段によって計数された前記存在区間信号の数が所定の閾値に達した時機を、前記表示可能時機として予測することを特徴とする請求項１〜３のいずれか１項に記載の映像処理装置。
【請求項５】
前記制御信号検出手段によって検出された各制御信号の検出周期を判定する検出周期判定手段
をさらに備え、
前記予測手段は、
前記制御信号検出手段によって前記フレーム開始信号が検知された後に前記検出周期判定手段によって判定された各検出周期が、前記制御信号毎に予め規定されている各規定周期と一致した時機を、前記表示可能時機として予測することを特徴とする請求項１〜４のいずれか１項に記載の映像処理装置。
【請求項６】
前記制御信号検出手段によって前記フレーム開始信号が検知された場合に計時を開始する計時手段
をさらに備え、
前記予測手段は、
前記制御信号検出手段によって前記フレーム表示開始信号が検知された後に前記計時手段により計時された時間が所定時間に達した時機を、前記表示可能時機として予測することを特徴とする請求項１〜５のいずれか１項に記載の映像処理装置。
【請求項７】
映像データと前記映像データの区切りを示す制御信号とを含んだ映像信号を受け付ける受付工程と、
前記受付工程によって受け付けられた前記映像信号から前記制御信号を検出する制御信号検出工程と、
前記映像データに含まれるフレーム画像間の区切りを示す前記制御信号であるフレーム開始信号が前記制御信号検出工程によって検出された後に前記制御信号検出工程によってあらたに検出された前記制御信号に基づき、前記映像信号に基づく映像の正常な表示が可能となる表示可能時機を予測する予測工程と、
前記予測工程によって予測された表示可能時機の後、前記制御信号検出工程によって最初の前記フレーム開始信号が検出された場合に、前記映像の表示開始を指示する表示開始指示工程と
を含むことを特徴とする映像処理方法。
【発明の詳細な説明】
【技術分野】
【０００１】
本発明は、映像処理装置および映像処理方法に関するものであり、特に、外部からの映像信号の入力を検知した後に映像信号に応じた映像表示を開始させる際、表示画面中で表示不良が発生することを防止することができる映像処理装置および映像処理方法に関するものである。
【背景技術】
【０００２】
従来、映像信号を出力する装置から映像表示装置へ映像信号を出力しているにもかかわらず、映像表示装置で入力映像が表示されない場合がある。
【０００３】
たとえば、ＤＶＤプレイヤと映像表示装置とがＨＤＭＩ（High  Definition  Multimedia  Interface）ケーブルによって接続されている場合、両装置間で通信システムの同期が取れていないと、映像表示装置は入力映像を表示することができない。
【０００４】
一方、両装置間で同期が取れていない場合、一旦ＨＤＭＩケーブルによる接続を切断し、再接続することで両装置間の同期を取ることは可能であるが、ケーブルの抜き差し作業が面倒であるという問題もある。
【０００５】
かかる問題を解決する技術として、たとえば、特許文献１には、ＤＶＤプレイヤがＨＤＭＩケーブルによって接続されている映像表示装置との同期が取れていないことを自動的に検知し、内部処理によって一旦映像表示装置との接続関係をリセットすることで映像表示装置との同期を取る技術が開示されている。
【０００６】
ＤＶＤプレイヤとの同期が取れた場合、映像表示装置は、ＤＶＤプレイヤから正常に映像信号が入力され、入力映像の表示が可能となる。
【０００７】
また、映像表示装置は、外部から映像信号の入力が開始されたことを検知すると、映像信号が入力される前に表示していた青や黒一色のＭＵＴＥ映像に換え、入力された映像信号に応じた入力映像を表示させていた。
【０００８】
たとえば、従来の一般的な映像表示装置は、表示画面上で順次表示させる１フレームの映像の各表示開始タイミングを示すＶＳＹＮＣ（垂直同期信号）の入力を検知した場合に、映像信号が正常に入力されたと判定し、ＭＵＴＥ映像から入力映像へ表示の切り替えをおこなっていた。
【先行技術文献】
【特許文献】
【０００９】
【特許文献１】特開２００８−１８２５２５号公報
【発明の概要】
【発明が解決しようとする課題】
【００１０】
しかしながら、上記従来の映像表示装置は、ＶＳＹＮＣの入力を検知した場合、即座に入力映像の表示を開始させていたため、入力映像の表示開始時に表示不良が発生するという問題があった。
【００１１】
本発明は、上述した従来技術による問題点を解消するためになされたものであって、受信した映像信号に対応する映像の表示開始時に、表示不良が発生することを防止することができる映像処理装置および映像処理方法を提供することを目的とする。
【課題を解決するための手段】
【００１２】
上述した課題を解決し、目的を達成するために、本発明に係る映像処理装置は、映像データと前記映像データの区切りを示す制御信号とを含んだ映像信号を受け付ける受付手段と、前記受付手段によって受け付けられた前記映像信号から前記制御信号を検出する制御信号検出手段と、前記映像データに含まれるフレーム画像間の区切りを示す前記制御信号であるフレーム開始信号が前記制御信号検出手段によって検出された後に前記制御信号検出手段によってあらたに検出された前記制御信号に基づき、前記映像信号に基づく映像の正常な表示が可能となる表示可能時機を予測する予測手段と、前記予測手段によって予測された表示可能時機の後、前記制御信号検出手段によって最初の前記フレーム開始信号が検出された場合に、前記映像の表示開始を指示する表示開始指示手段とを備えたことを特徴とする。
【発明の効果】
【００１３】
本発明によれば、映像データと映像データの区切りを示す制御信号とを含んだ映像信号を受け付け、受け付けた映像信号から制御信号を検出し、映像データに含まれるフレーム画像間の区切りを示す制御信号であるフレーム開始信号が検出された後に、あらたに検出された制御信号に基づき、映像信号に基づく映像の正常な表示が可能となる表示可能時機を予測し、予測した表示可能時機の後、最初のフレーム開始信号を検出した場合に、映像の表示開始を指示するように映像処理装置を構成したため、受信した映像信号に対応する映像の表示開始時に、表示不良が発生することを防止することができるという効果を奏する。
【図面の簡単な説明】
【００１４】
【図１】図１は、従来における映像処理手法の概要を示す図である。
【図２】図２は、本発明に係る映像処理装置による映像処理手法を示す図である。
【図３】図３は、本実施例に係る映像処理装置の構成を示すブロック図である。
【図４】図４は、本実施例に係る映像処理装置の動作を示す図である。
【図５】図５は、本実施例に係る映像処理装置の動作を示す図である。
【図６】図６は、本実施例に係る映像処理装置の処理手順を示すフローチャートである。
【図７】図７は、本実施例の変形例その１に係る映像処理装置の構成および地域対応テーブルを示す図である。
【図８】図８は、本実施例の変形例その２に係る映像処理装置の構成および動作を示す図である。
【発明を実施するための形態】
【００１５】
以下に添付図面を参照して、本発明に係る映像処理装置の実施例を詳細に説明する。まず、実施例の詳細な説明に先立って、本発明に係る映像処理手法の概要について、従来における映像処理手法と対比して説明する。図１は、従来における映像処理手法の概要を示す図である。
【００１６】
なお、ここでは、外部から入力される映像信号を加工してディスプレイ装置などの映像表示装置へ出力する映像処理装置を例に挙げて説明する。
【００１７】
また、以下の説明では、映像表示装置で表示する映像を示すデータ信号と、データ信号の区切り、たとえば、データ信号に含まれる各フレーム画像間の区切りや、フレーム画像に含まれる各ライン間の区切りを示す複数種類の制御信号とを含んだ信号を「映像信号」として説明する。
【００１８】
また、映像信号に含まれる複数種類の制御信号のうち、映像表示装置で順次表示させる１フレームの映像の各表示開始タイミングを示すフレーム表示開始信号をＶＳＹＮＣ（垂直同期信号）、１フレームの映像を構成する所定数の各映像ラインの各表示開始タイミングを示すライン表示開始信号をＨＳＹＮＣ（水平同期信号）、各映像ラインの中で映像データが含まれている期間を示す表示期間信号をＤＥ（データ・イネーブル信号）として説明する。
【００１９】
従来の映像処理装置は、たとえば、入力された映像信号に応じた映像（以下、「入力映像」という）を映像表示装置に対して表示させる際、外部からの映像信号の入力が途絶えた場合や、映像信号の同期取得に失敗した場合に、入力映像に換えて青または黒一色のＭＵＴＥ映像を映像表示装置へ出力していた。
【００２０】
そして、従来の映像処理装置は、再び外部から正常な映像信号が入力されたことを検知すると、直ちにＭＵＴＥ映像に換えて映像信号を映像表示装置で表示させていた。
【００２１】
具体的には、図１に示すように、従来の映像処理装置は、ある時刻Ｔ１でＶＳＹＮＣの検出（取得）に失敗した場合（図１の（１）参照）、時刻Ｔ１の時点で入力映像に換えてＭＵＴＥ映像を映像表示装置へ表示させていた。
【００２２】
その後、従来の映像処理装置は、図１に示す時刻Ｔ２でＶＳＹＮＣの取得に成功した場合（図１の（２）参照）、即座に時刻Ｔ２の時点でＭＵＴＥ映像に換えて入力映像を映像表示装置へ表示させていた。
【００２３】
しかしながら、従来の映像処理装置は、図１に示す時刻Ｔ２の時点でＶＳＹＮＣの取得に成功した場合であっても、同図に示す時刻Ｔ２〜Ｔ３の期間でＨＳＹＮＣの取得に失敗している場合がある（図１の（３）参照）。
【００２４】
このように、従来の映像処理装置では、ＨＳＹＮＣの取得に失敗している場合であってもＶＳＹＮＣさえ取得できれば、即座にＭＵＴＥ映像の映像信号に換えて外部から入力された映像信号を映像表示装置へ出力していた。
【００２５】
このため、映像表示装置は、１フレームの映像の表示開始タイミングは決定できるものの、１フレームの映像を構成する複数の映像ラインの表示タイミングを決定することができない。したがって、映像表示装置の表示画面上には、図１に示す時刻Ｔ２〜Ｔ３の期間で表示不良が発生する（図１の（４）参照）。
【００２６】
そこで、本発明に係る映像処理手法では、それまで取得に失敗していたＶＳＹＮＣの取得に成功した後に所定の切替条件が成立したか否かを判定することとした。そして、本発明に係映像処理手法では、切替条件が成立したと判定した場合に、入力映像を映像表示装置で表示可能であると予測して、ＭＵＴＥ映像に換えて外部から入力された映像信号を映像表示装置へ出力する。
【００２７】
ここで、本発明に係る映像処理手法の概要について、図２を用いて説明する。図２は、本発明に係る映像処理手法の概要を示す図である。なお、同図に示す時刻Ｔ２およびＴ３は、図１に示した時刻Ｔ２およびＴ３にそれぞれ対応するものである。
【００２８】
ここでは、図１に示した場合と同様に、映像処理装置が時刻Ｔ２の時点で、それまで取得に失敗していたＶＳＹＮＣの取得に成功し、且つ時刻Ｔ２〜Ｔ３の期間でＨＳＹＮＣの取得に失敗していた場合について説明する。
【００２９】
図２に示すように、本発明に係る映像処理手法では、時刻Ｔ２の時点でＶＳＹＮＣの取得に成功した場合（図２の（１）参照）、所定の切替条件が成立したと判定するまで映像表示装置でＭＵＴＥ映像の表示を継続させる。
【００３０】
すなわち、本発明に係る映像処理手法では、図２に示す時刻Ｔ２の時点でＶＳＹＮＣを検出した場合であっても、同図に示す時刻Ｔ２〜Ｔ３の期間にＨＳＹＮＣの取得に失敗している可能性を考慮し（図２の（２）参照）、同図に示す時刻Ｔ４までＭＵＴＥ映像を映像表示装置で表示させる。
【００３１】
具体的には、本発明に係る映像処理手法では、図２に示す時刻Ｔ２の時点でＶＳＹＮＣの取得に成功した後、取得したＶＳＹＮＣを含めて所定数（ここでは、３パルス）のＶＳＹＮＣを取得したか否かを判定する。
【００３２】
そして、本発明に係る映像処理手法では、図２に示す時刻Ｔ２以後に所定数のＶＳＹＮＣを取得したと判定した場合に（図２の（３）参照）、所定の切替条件が成立したと判定して映像表示装置で表示させる映像をＭＵＴＥ映像から入力映像へ切り替える。
【００３３】
このため、本発明に係る映像処理手法は、ＶＳＹＮＣの取得には成功しているものの、ＨＳＹＮＣの取得には成功していない状態で、映像表示装置で表示させる映像をＭＵＴＥ映像から入力映像へ切り替えることがない。
【００３４】
したがって、本発明に係る映像処理装置は、映像表示装置へ表示させる映像をＭＵＴＥ映像から入力映像へ切り替えた直後の入力映像に表示不良が発生することを防止することができる。
【００３５】
なお、図２では、映像処理装置が、ＶＳＹＮＣを取得して以後、所定数のＶＳＹＮＣを取得した場合に、所定の切替条件が成立したと判定する場合を例に挙げて説明したが、切替条件はＶＳＹＮＣの取得数に限定するものではない。
【００３６】
たとえば、映像処理装置が、あるＶＳＹＮＣを取得してから次のＶＳＹＮＣを取得するまでの間に、所定数のＨＳＹＮＣやＤＥなどの他の制御信号を取得できた場合、所定の切替条件が成立したと判定するように映像処理装置を構成してもよい。
【００３７】
以下では、本発明に係る映像処理手法を適用した映像処理装置についての実施例を詳細に説明する。なお、以下に示す実施例では、ナビゲーション機能やテレビ機能などの複数の機能が一体化された車載装置として映像処理装置を用いる場合を例に挙げて説明する。なお、本発明に係る画像処理手法は、画像を表示する様々な装置に対して適用することができる。
【実施例】
【００３８】
図３は、本実施例に係る映像処理装置の構成を示すブロック図である。なお、同図には、映像処理装置１の特徴を説明するために必要な構成要素のみを示しており、一般的な構成要素については記載を省略している。
【００３９】
図３に示すように、本実施例に係る映像処理装置１は、たとえばアンテナから入力されるテレビジョン放送などの映像信号を所定の映像表示部２へ出力することにより、映像表示装部２で入力映像を表示させる装置である。なお、映像表示部２は、たとえば、液晶表示装置などの映像表示デバイスである。
【００４０】
同図に示すように、映像処理装置１は、映像処理部３と、ＭＵＴＥ映像生成部４と、映像切替部５と、切替タイミング判定部６とを備えている。
【００４１】
これらの、映像処理部３、ＭＵＴＥ映像生成部４、映像切替部５および切替タイミング判定部６は、図示しないＣＰＵ（Central  Processing  Unit）が所定のソフトウェアを実行することでそれぞれ機能するものである。
【００４２】
映像処理部３は、入力される映像信号から映像を再生して映像切替部５へ出力する処理部である。また、ＭＵＴＥ映像生成部４は、青または黒一色のＭＵＴＥ映像を表示させるための映像信号を生成して映像切替部５へ出力する処理部である。
【００４３】
また、映像切替部５は、映像処理部３またはＭＵＴＥ映像生成部４から入力される映像信号のいずれか一方の映像信号を選択して映像表示部２へ出力する処理部である。なお、映像切替部５は、切替タイミング判定部６から入力される選択命令によって選択された方の映像信号を映像表示部２へ出力するものとする。
【００４４】
切替タイミング判定部６は、入力される映像信号に基づき、映像切替部５へ映像処理部３またはＭＵＴＥ映像生成部４から出力される２つの映像信号のうちいずれか一方を選択させるための選択命令を出力する処理部である。
【００４５】
ここで、切替タイミング判定部６は、映像表示部２で入力映像を表示している場合に、映像信号の入力を検知できなくなった場合に、映像切替部５へＭＵＴＥ映像の映像信号を選択させるための選択命令を出力する処理を併せて行うものとする。
【００４６】
特に、切替タイミング判定部６は、映像信号の入力を検知した後、所定の切替条件が成立したと判定した場合に、映像切替部５へ入力映像の映像信号を選択させるための選択命令を出力する。
【００４７】
具体的には、切替タイミング判定部６は、外部から入力されたた映像信号に含まれる制御信号のパルス数をカウントするカウンタ６１を備えている。そして、切替タイミング判定部６は、映像信号の入力を検知した後、カウンタ６１によりカウントされた制御信号のパルス数が所定の閾値に達した場合に、所定の切替条件が成立したと判定する。
【００４８】
たとえば、図３（Ｂ）に示すように、入力した映像信号に含まれるＶＳＹＮＣのパルス数をカウントするＶＳＹＮＣカウンタ６１ａをカウンタ６１内に設けた場合について説明する。
【００４９】
カウンタ６１へＶＳＹＮＣカウンタ６１ａを設けた場合、ＶＳＹＮＣカウンタ６１ａは、先に説明した図２に示すように、これまで取得に失敗していたＶＳＹＮＣが切替タイミング判定部６により取得されると、ＶＳＹＮＣのカウント値を１とする。
【００５０】
続いて、ＶＳＹＮＣカウンタ６１ａは、以後切替タイミング判定部６によってＶＳＹＮＣが取得される毎に、ＶＳＹＮＣのカウント値を１ずつインクリメントする。そして、切替タイミング判定部６は、ＶＳＹＮＣカウンタ６１ａによるＶＳＹＮＣのカウント値が所定の閾値（例えば３）に達した場合に、所定の切替条件が成立したと判定する。
【００５１】
そして、切替条件が成立したと判定すると、切替タイミング判定部６は、ＶＳＹＮＣのカウント値が所定の閾値に達した時点、すなわち、図２に示す例では時刻Ｔ４の時点で、映像切替部５へ入力映像の映像信号を選択させるための選択命令を出力する。なお、ＶＳＹＮＣのカウント値が所定の閾値に達した後、最初のＶＳＹＮＣを検出した時点で、かかる選択命令を出力することとしてもよい。
【００５２】
このように、映像処理装置１は、これまで取得に失敗していたＶＳＹＮＣの取得に成功したとしても、ＶＳＹＮＣの取得に成功した時点で他の制御信号（図２に示す例では、ＨＳＹＮＣ）の取得に失敗している恐れ、すなわち、映像データに乱れがある恐れを考慮し、映像表示部２へＭＵＴＥ映像の映像信号の出力を継続させる。
【００５３】
そして、映像処理装置１は、取得したＶＳＹＮＣのパルス数が所定数に達した場合に、ＶＳＹＮＣ以外の他の制御信号も正常に入力できていると予測し、映像切替部５から映像表示部２へ入力映像の映像信号を出力させる。
【００５４】
このため、映像処理装置１は、映像表示部２で表示させる映像をＭＵＴＥ映像から入力映像へ切り替えた直後に表示画面上に表示不良が発生することを防止することができる。
【００５５】
なお、ここでは、ＶＳＹＮＣカウンタ６１ａによるカウント値が所定の閾値に達した場合に、ＶＳＹＮＣ以外の他の制御信号も正常に取得できていると予測しているが、ＶＳＹＮＣカウンタ６１ａに換えて、切替タイミング判定部６がこれまで取得できていなかったＶＳＹＮＣの取得に成功した時点からの時間を計時を開始するタイマを設けてもよい。
【００５６】
ＶＳＹＮＣカウンタ６１ａに換えてタイマを設けた場合、映像処理装置１は、タイマによって計時された時間が所定時間に達した場合に、ＶＳＹＮＣ以外の他の制御信号も正常に取得できていると予測し、映像切替部５へ入力映像の映像信号を選択させるための選択命令を出力する。なお、タイマによって計時された時間が所定時間に達した後、最初のＶＳＹＮＣを検出した時点で、かかる選択命令を出力することとしてもよい。
【００５７】
また、切替タイミング判定部６が所定の切替条件が成立したか否かの判定基準として用いる値は、ＶＳＹＮＣに限定されるものではない。たとえば、映像処理装置１によって取得されたＨＳＹＮＣのパルス数を用いて、切替タイミング判定部６が所定の選択条件の成立を判定してもよい。
【００５８】
切替条件の成立を判定する基準としてＨＳＹＮＣを用いる場合、図３（Ｃ）に示すように、カウンタ６１内へ映像処理装置１で取得されたＨＳＹＮＣのパルス数をカウントするＨＳＹＮＣカウンタ６１ｂを設ける。
【００５９】
映像処理装置１へＨＳＹＮＣカウンタ６１ｂを設けた場合、たとえば、映像処理装置１が２つのＶＳＹＮＣを取得した場合に、１つめのＶＳＹＮＣを取得してから２つめのＶＳＹＮＣを取得するまでの期間に取得したＨＳＹＮＣのパルス数をＨＳＹＮＣカウンタ６１ｂによりカウントする。
【００６０】
そして、切替タイミング判定部６は、ＨＳＹＮＣカウンタ６１ｂによりカウントされたカウント値が所定の閾値に達した場合に、切替条件が成立したと判定する。
【００６１】
このようにした場合であっても、ＶＳＹＮＣカウンタ６１ａを備えた映像処理装置１と同様に、表示映像をＭＵＴＥ映像から入力映像へ切り替えた直後に表示不良が発生することを防止することができる。なお、ＨＳＹＮＣカウンタ６１ｂを備えた映像処理装置１の動作については、後に図４を用いて具体的に説明する。
【００６２】
また、ＨＳＹＮＣに換えて、映像処理装置１によって取得されたＤＥのパルス数を用いて、切替タイミング判定部６が所定の選択条件の成立を判定してもよい。
【００６３】
切替条件の成立を判定する基準としてＤＥを用いる場合、図３（Ｄ）に示すように、カウンタ６１内へ映像処理装置１で取得されたＤＥのパルス数をカウントするＤＥカウンタ６１ｃを設ける。
【００６４】
このように、ＤＥカウンタ６１ｃを設けた映像処理装置１では、ＨＳＹＮＣカウンタ６１ｂを設けた映像処理装置１と同様に、１つめのＶＳＹＮＣを取得してから２つめのＶＳＹＮＣを取得するまでの期間に取得したＤＥのパルス数をＤＥカウンタ６１ｃによってカウントする。
【００６５】
そして、切替タイミング判定部６は、ＤＥカウンタ６１ｃによりカウントされたカウント値が所定の閾値に達した場合に、切替条件が成立したと判定する。
【００６６】
このようにした場合であっても、ＶＳＹＮＣカウンタ６１ａを備えた映像処理装置１と同様に、表示映像をＭＵＴＥ映像から入力映像へ切り替えた直後に表示不良が発生することを防止することができる。
【００６７】
なお、ここでは、カウンタ６１内に１種類の制御信号のパルス数をカウントするカウンタを設けた場合について説明したが、１つのカウンタ６１内にＶＳＹＮＣカウンタ６１ａ、ＨＳＹＮＣカウンタ６１ｂ、ＤＥカウンタ６１ｃの全て、若しくは任意の組合せを、設けることとしてもよい。
【００６８】
ここで、各制御信号用のカウンタを複数設けた場合、切替タイミング判定部６は、各制御信号用の全てのカウンタによるカウント値が、カウンタ毎に定められた所定の閾値に達した場合に、所定の切替条件が成立したと判定する。
【００６９】
このように映像処理装置１を構成することで、１種類の制御信号をカウントするカウンタを設けた場合に比べ、表示映像をＭＵＴＥ映像から入力映像へ切り替えた直後に表示不良が発生することを確実に防止することができる。
【００７０】
また、切替タイミング判定部６の構成は、上記したものに限定するものではなく、たとえば、カウンタ６１に換えて、図３（Ｅ）に示すような周期判定部６２を設けても良い。図３（Ｅ）に示す周期判定部６２は、映像処理装置１により取得された各制御信号の取得周期を判定する処理部である。
【００７１】
具体的には、周期判定部６２は、同図に示すように、ＶＳＹＮＣ周期判定部６２ａ、ＨＳＹＮＣ周期判定部６２ｂ、ＤＥ周期判定部６２ｃを備えている。ＶＳＹＮＣ周期判定部６２ａは、映像処理装置１で取得したＶＳＹＮＣの取得周期が予め規定された規定周期と一致しているか否かを判定する処理部である。
【００７２】
同様に、ＨＳＹＮＣ周期判定部６２ｂ、ＤＥ周期判定部６２ｃは、それぞれ映像処理装置１で取得したＨＳＹＮＣおよびＤＥの各取得周期が、ＨＳＹＮＣおよびＤＥのそれぞれに予め規定されている各規定周期と一致しているか否かを判定する処理部である。
【００７３】
切替タイミング判定部６は、ＶＳＹＮＣ、ＨＳＹＮＣ、ＤＥの全ての制御信号を少なくともそれぞれ２パルス以上取得し、且つ周期判定部６２によって全ての制御信号の取得周期が予め規定された各規定周波数と一致していると判定された場合に、切替条件が成立したと判定する。
【００７４】
そして、切替タイミング判定部６は、切替条件が成立したと判定した場合に、映像切替部５へ入力映像の映像信号を選択させるための選択命令を出力する。なお、切替条件が成立したと判定した後、最初のＶＳＹＮＣを検出した時点で、かかる選択命令を出力することとしてもよい。このように、周期判定部６２を備えた映像処理装置１は、全ての制御信号を少なくともそれぞれ２パルス以上取得し、且つ周期判定部６２によって全ての制御信号の取得周期が予め規定された各規定周波数と一致していた場合に、表示画面をＭＵＴＥ映像から入力映像へ切り替える。
【００７５】
このため、周期判定部６２を備えた映像処理装置１は、映像表示部２で表示させる映像をＭＵＴＥ映像から入力映像へ切り替えた直後の映像中で表示不良が発生することを確実に防止することができる。
【００７６】
次に、図４を用いて、カウンタ６１内へＨＳＹＮＣカウンタ６１ｂを設けた映像処理装置１の動作について説明する。図４は、本実施例に係る映像処理装置の動作を示す図である。
【００７７】
同図における時刻Ｔ２、Ｔ３、Ｔ４は、図２示す時刻Ｔ２、Ｔ３、Ｔ４に対応している。また、同図における時刻Ｔ５は、映像処理装置１が時刻Ｔ２でＶＳＹＮＣを取得した後、最初にＶＳＹＮＣを取得した時刻を示している。
【００７８】
そして、図４に示すように、切替タイミング判定部６が時刻Ｔ２でＶＳＹＮＣを取得したとする。ここで、図４に示す時刻Ｔ２では、切替タイミング判定部６はＨＳＹＮＣを取得していない。
【００７９】
このため、ＨＳＹＮＣカウンタ６１ｂは、ＨＳＹＮＣのパルス数の計数を開始しない。その後、ＨＳＹＮＣカウンタ６１ｂは、時刻Ｔ３で切替タイミング判定部６によりＨＳＹＮＣが取得されると、ＨＳＹＮＣのパルス数の計数を開始する。
【００８０】
そして、切替タイミング判定部６は、図４に示す時刻Ｔ５の時点で次のＶＳＹＮＣを取得すると、同図に示す時刻Ｔ２〜Ｔ５の期間でＨＳＹＮＣカウンタ６１ｂによってカウントされたＨＳＹＮＣのカウント値が所定の閾値に達したか否かを判定する。
【００８１】
ここで、所定の閾値を、１フレームの入力映像を構成する所定数の映像ライン数と同値とすればよい。なお、ここでは、説明を容易にするため、１フレームの入力映像を構成する映像ラインの数を４として説明する。
【００８２】
図４に示すように、時刻Ｔ２〜Ｔ５の期間では、切替タイミング判定部６は、３つのＨＳＹＮＣしか取得していない。したがって、ＨＳＹＮＣカウンタ６１ｂのカウント値も３となり、所定の閾値である４に達していない。
【００８３】
このため、切替タイミング判定部６は、同図に示す時刻Ｔ５の時点では、切替条件は成立していないと判定する。したがって、切替タイミング判定６から映像切替部５へ選択命令が出力されないので、映像処理装置１は、時刻Ｔ５の時点ではＭＵＴＥ映像から入力映像への切替は行わない。
【００８４】
そして、ＨＳＹＮＣカウンタ６１ｂは、切替タイミング判定部６によってＨＳＹＮＣに関する切替条件が成立していないと判定された時点で、それまでにカウントしたＨＳＹＮＣのカウント値を一旦リセットする。
【００８５】
続いて、切替タイミング判定部６では、ＨＳＹＮＣカウンタ６１ｂが時刻Ｔ５から、再度切替タイミング判定部６によって取得されたＨＳＹＮＣのパルス数のカウントを開始する。
【００８６】
そして、切替タイミング判定部６は、図４に示す時刻Ｔ４の時点で次のＶＳＹＮＣを取得すると、同図に示す時刻Ｔ５〜Ｔ４の期間でＨＳＹＮＣカウンタ６１ｂによってカウントされたＨＳＹＮＣのカウント値が所定の閾値に達したか否かを判定する。
【００８７】
ここで、同図に示すように、時刻Ｔ５〜Ｔ４の期間では、切替タイミング判定部６は、４つのＨＳＹＮＣを取得している。したがって、ＨＳＹＮＣカウンタ６１ｂのカウント値も４となり、所定の閾値である４に達したことになる。
【００８８】
このため、切替タイミング判定部６は、同図に示す時刻Ｔ４の時点で、映像切替部５へ入力映像の映像信号を選択させるための選択命令を出力する。これにより、映像切替部５から映像表示部２へはＭＵＴＥ映像の映像信号に変えて入力映像の映像信号が出力される。これにより、映像表示部２で表示される映像がＭＵＴＥ映像から入力映像へ切り替わる。
【００８９】
このように、カウンタ６１内へＨＳＹＮＣカウンタ６１ｂを設けた場合、映像処理装置１は、２つのＶＳＹＮＣを取得した期間に、１フレーム映像を構成する映像ライン数と同数のＨＳＹＮＣを取得したことを条件に、映像表示部２で表示させる映像をＭＵＴＥ映像から入力映像に切り替える。
【００９０】
このため、映像表示部２は、映像処理装置１から入力される１フレーム分の映像を表示する際に、かかる１フレームに含まれる全てのＨＳＹＮＣが正常に取得されたことを保証することができる。
【００９１】
すなわち、ＨＳＹＮＣカウンタ６１ｂを備えた映像処理装置１は、ＶＳＹＮＣの取得数のみで所定の切替条件の成立を判定する場合よりも確実に、映像表示部２で表示させる映像をＭＵＴＥ映像から入力映像へ切り替えた直後の映像中で表示不良が発生することを防止することができる。
【００９２】
また、ＤＥカウンタ６１ｃを備えた映像処理装置１についても、ＨＳＹＮＣカウンタ６１ｂを備えた映像処理装置１と同様に、２つのＶＳＹＮＣを取得した期間に、１フレーム映像を構成する映像ライン数と同数のＤＥを取得したことを条件に、映像表示部２で表示させる映像をＭＵＴＥ映像から入力映像に切り替える。
【００９３】
これにより、ＤＥカウンタ６１ｃを備えた映像処理装置１は、ＶＳＹＮＣの取得数のみで所定の切替条件の成立を判定する場合よりも確実に、映像表示部２で表示させる映像をＭＵＴＥ映像から入力映像へ切り替えた直後の映像中で表示不良が発生することを防止することができる。
【００９４】
次に、図５を用いて、カウンタ６１内へＨＳＹＮＣカウンタ６１ｂおよびＤＥカウンタ６１ｃを設けた映像処理装置１の動作について説明する。図５は、本実施例に係る映像処理装置の動作を示す図である。
【００９５】
同図における時刻Ｔ２、Ｔ３、Ｔ４、Ｔ５は、図４示す時刻Ｔ２、Ｔ３、Ｔ４、Ｔ５に対応している。また、同図における時刻Ｔ６は、映像処理装置がこれまで取得できていなかったＤＥを取得した時刻を示しており、時刻Ｔ７は、映像処理装置１が時刻Ｔ４でＶＳＹＮＣを取得した後、次にＶＳＹＮＣを取得した時刻を示している。
【００９６】
そして、たとえば、図５に示すように、切替タイミング判定部６が時刻Ｔ２でＶＳＹＮＣを取得したとする。ここで、図５に示す時刻Ｔ２では、切替タイミング判定部６はＨＳＹＮＣを取得していない。
【００９７】
このため、ＨＳＹＮＣカウンタ６１ｂは、ＨＳＹＮＣのパルス数の計数を開始しない。その後、ＨＳＹＮＣカウンタ６１ｂは、時刻Ｔ３で切替タイミング判定部６によりＨＳＹＮＣが取得されると、ＨＳＹＮＣのパルス数の計数を開始する。
【００９８】
一方、時刻Ｔ３の時点では、切替タイミング判定部６はＤＥを取得していない。ＤＥカウンタ６１ｃは、ＤＥのパルス数の計数を開始しない。その後、ＤＥカウンタ６１ｃは、時刻Ｔ６で切替タイミング判定部６によりＤＥが取得されると、ＤＥのパルス数の計数を開始する。
【００９９】
そして、切替タイミング判定部６は、図５に示す時刻Ｔ５の時点で次のＶＳＹＮＣを取得すると、同図に示す時刻Ｔ２〜Ｔ５の期間でＨＳＹＮＣカウンタ６１ｂによってカウントされたＨＳＹＮＣのカウント値、およびＤＥカウンタ６１ｃによってカウントされたＤＥのカウント値がともに所定の閾値に達したか否かを判定する。
【０１００】
ここで、所定の閾値は、１フレームの入力映像を構成する所定数の映像ライン数と同値とすればよい。なお、ここでは、説明を容易にするため、１フレームの入力映像を構成する映像ラインの数を４として説明する。
【０１０１】
図５に示すように、時刻Ｔ２〜Ｔ５の期間では、切替タイミング判定部６によるＨＳＹＮＣの取得数が３、ＤＥの取得数が０である。したがって、ＨＳＹＮＣカウンタ６１ｂのカウント値は３となり、ＤＥカウンタ６１ｃのカウント値は０となり、ＤＥカウンタ６１ｃのカウント値が所定の閾値である４に達していない。
【０１０２】
このため、切替タイミング判定部６は、同図に示す時刻Ｔ５の時点では、所定の切替条件は成立していないと判定する。したがって、切替タイミング判定部６から映像切替部５へ選択命令が出力されないので、映像処理装置１は、時刻Ｔ５の時点ではＭＵＴＥ映像から入力映像への切替は行わない。
【０１０３】
そして、ＨＳＹＮＣカウンタ６１ｂは、切替タイミング判定部６によってＨＳＹＮＣに関する所定の切替条件が成立していないと判定された時点で、それまでにカウントしたＨＳＹＮＣのカウント値を一旦リセットする。
【０１０４】
続いて、切替タイミング判定部６では、ＨＳＹＮＣカウンタ６１ｂが時刻Ｔ５から、再度切替タイミング判定部６によって取得されたＨＳＹＮＣのパルス数のカウントを開始する。なお、時刻Ｔ５の時点では、切替タイミング判定部６は、時刻Ｔ６になるまでＤＥを取得していないので、ＤＥカウンタ６１ｃは時刻Ｔ６になった場合に、ＤＥのパルス数の計数を開始する。
【０１０５】
そして、切替タイミング判定部６は、図５に示す時刻Ｔ４の時点で次のＶＳＹＮＣを取得すると、同図に示す時刻Ｔ５〜Ｔ４の期間でＨＳＹＮＣカウンタ６１ｂによってカウントされたＨＳＹＮＣのカウント値、およびＤＥカウンタ６１ｃによってカウントされたＤＥのカウント値がともに所定の閾値に達したか否かを判定する。
【０１０６】
ここで、同図に示すように、時刻Ｔ５〜Ｔ４の期間では、切替タイミング判定部６によるＨＳＹＮＣの取得数が４、ＤＥの取得数が２である。したがって、ＨＳＹＮＣカウンタ６１ｂのカウント値は４となり、ＤＥカウンタ６１ｃのカウント値は２となる。
【０１０７】
つまり、時刻Ｔ５〜Ｔ４の期間では、ＨＳＹＮＣカウンタ６１ｂのカウント値は所定の閾値である４に達しているが、ＤＥカウンタ６１ｃのカウント値は４に達していない。
【０１０８】
このため、切替タイミング判定部６は、同図に示す時刻Ｔ４の時点では、所定の切替条件は成立していないと判定する。したがって、切替タイミング判定６から映像切替部５へ選択命令が出力されないので、映像処理装置１は、時刻Ｔ４の時点ではＭＵＴＥ映像から入力映像への切替は行わない。
【０１０９】
そして、ＨＳＹＮＣカウンタ６１ｂおよびＤＥカウンタ６１ｃは、切替タイミング判定部６によってＤＥに関する所定の切替条件が成立していないと判定された時点で、それまでにカウントしたカウント値を一旦リセットする。
【０１１０】
続いて、切替タイミング判定部６では、ＨＳＹＮＣカウンタ６１ｂおよびＤＥカウンタ６１ｃが時刻Ｔ４から、再度切替タイミング判定部６によって取得されたＨＳＹＮＣおよびＤＥのパルス数のカウントを開始する。
【０１１１】
そして、切替タイミング判定部６は、図５に示す時刻Ｔ７の時点で次のＶＳＹＮＣを取得すると、同図に示す時刻Ｔ４〜Ｔ７の期間でＨＳＹＮＣカウンタ６１ｂおよびＤＥカウンタ６１ｃによってカウントされたＨＳＹＮＣおよびＤＥの各カウント値がともに所定の閾値に達したか否かを判定する。
【０１１２】
ここで、同図に示すように、時刻Ｔ４〜Ｔ７の期間では、切替タイミング判定部６によるＨＳＹＮＣの取得数が４、ＤＥの取得数が４である。したがって、ＨＳＹＮＣカウンタ６１ｂのカウント値は４となり、ＤＥカウンタ６１ｃのカウント値は４となり、いずれのカウント値も所定の閾値である４に達している。
【０１１３】
このため、切替タイミング判定部６は、同図に示す時刻Ｔ７の時点で、切替条件が成立したと判定し、映像切替部５へ入力映像の映像信号を選択させるための選択命令を出力する。これにより、映像切替部５から映像表示部２へはＭＵＴＥ映像の映像信号に変えて入力映像の映像信号が出力される。これにより、映像表示部２で表示される映像がＭＵＴＥ映像から入力映像へ切り替わる。
【０１１４】
このように、カウンタ６１内へＨＳＹＮＣカウンタ６１ｂおよびＤＥカウンタ６１ｃを設けた場合、映像処理装置１は、２つのＶＳＹＮＣを取得した期間に、１フレーム映像を構成する映像ライン数と同数のＨＳＹＮＣおよびＤＥを取得したことを条件に、映像表示部２で表示させる映像をＭＵＴＥ映像から入力映像に切り替える。
【０１１５】
このため、映像処理装置１は、映像表示部２で１フレーム分の映像を表示させる際、１フレームの映像を構成する各映像ラインの表示開始タイミングを示すＨＳＹＮＣおよびＤＥの全てを映像表示部２へ確実に出力することができる。
【０１１６】
すなわち、ＨＳＹＮＣカウンタ６１ｂおよびＤＥカウンタ６１ｃを備えた映像処理装置１は、ＶＳＹＮＣの取得数のみで所定の切替条件の成立を判定する場合や、ＨＳＹＮＣの取得数のみで所定の切替条件の成立を判定する場合よりも、表示映像をＭＵＴＥ映像から入力映像へ切り替えた直後に表示不良が発生することを確実に防止することができる。
【０１１７】
また、ここでは、映像処理装置１が２つのＶＳＹＮＣを取得した期間に、同期間で取得したＨＳＹＮＣおよびＤＥの数が所定の閾値に達した場合に、表示映像をＭＵＴＥ映像から入力映像へ切り替えるようにしたが、単にＨＳＹＮＣおよびＤＥの取得数が所定の閾値に達した場合に、次のＶＳＹＮＣが取得された時点で表示映像をＭＵＴＥ映像から入力映像へ切り替えてもよい。またＨＳＹＮＣまたはＤＥの取得数のいずれか一方が所定の閾値に達した場合に、次のＶＳＹＮＣが取得された時点で表示映像をＭＵＴＥ映像から入力映像へ切り替えてもよい。
【０１１８】
次に、図６を用いて、実施例に係る映像処理装置１が実行する処理について説明する。図６は、本実施例に係る映像処理装置の処理手順を示すフローチャートである。なお、同図においては、映像処理装置１が実行する処理手順のうち、表示映像の切り替えに関する処理手順のみを示す。
【０１１９】
また、ここでは、ＶＳＹＮＣカウンタ６１ａを備えた映像処理装置１が実行する処理について説明する。図６に示すように、映像処理装置１は、外部からの映像信号の入力が途絶えた場合、まず、ＶＳＹＮＣを取得したか否かの判定を行う（ステップＳ１０１）。
【０１２０】
そして、映像処理装置１は、ＶＳＹＮＣを取得したと判定した場合（ステップＳ１０１，Ｙｅｓ）、ＶＳＹＮＣを所定数（たとえば３パルス分）取得したか否かを判定する。
【０１２１】
そして、映像処理装置１は、ＶＳＹＮＣを所定数（たとえば３パルス分）取得したと判定した場合（ステップＳ１０２，Ｙｅｓ）、切替タイミング判定部６から映像切替部５へ入力映像の映像を選択させるための選択命令を出力することで（ステップＳ１０３）、映像表示部２で表示させる表示映像をＭＵＴＥ映像から入力映像へ切り替え、その後、処理を終了する。
【０１２２】
一方、映像処理装置１は、ＶＳＹＮＣを取得していないと判定した場合（ステップＳ１０１，Ｎｏ）、または、ＶＳＹＮＣを所定数（たとえば３パルス分）取得していないと判定した場合（ステップＳ１０２，Ｎｏ）、処理をステップＳ１０４へ移す。
【０１２３】
そして、映像処理装置１は、ステップＳ１０４において、切替タイミング判定部６から映像切替部５へＭＵＴＥ映像の映像を選択させるための選択命令を出力することで、映像表示部２でＭＵＴＥ映像の表示を継続させ、その後、処理を終了する。
【０１２４】
なお、図６では、ＶＳＹＮＣカウンタ６１ａを備えた映像処理装置１が実行する処理について説明したが、同図に示すステップＳ１０１およびＳ１０２における判断条件を変更することで、ＨＳＹＮＣカウンタ６１ｂやＤＥカウンタ６１ｃを備えた映像処理装置１が実行する処理手順とすることができる。
【０１２５】
たとえば、図６に示すステップＳ１０１の判断処理を「２つのＶＳＹＮＣを取得？」とし、ステップＳ１０２の判断処理を「ＨＳＹＮＣを所定数取得？」または「ＤＥを所定数取得？」とすることで、ＨＳＹＮＣカウンタ６１ｂまたはＤＥカウンタ６１ｃを備えた映像処理装置１の処理手順とすることができる。
【０１２６】
また、図６に示すステップＳ１０１の判断処理を「２つのＶＳＹＮＣを取得？」とし、ステップＳ１０２の判断処理を「ＨＳＹＮＣおよびＤＥを所定数取得？」とすることで、ＨＳＹＮＣカウンタ６１ｂおよびはＤＥカウンタ６１ｃを備えた映像処理装置１の処理手順とすることもできる。
【０１２７】
上述したように、本実施例に係る映像処理装置１は、これまで入力されてこなかったＶＳＹＮＣが入力された場合、その後、新たに入力された各制御信号（ＶＳＹＮＣ、ＨＳＹＮＣ、ＤＥ）の数や各制御信号の取得周期に基づき、外部から入力された映像信号に対応する映像の正常な表示が可能となる表示可能時機予測する。
【０１２８】
そして、本実施例に係る映像処理装置１は、予測した表示可能時機の後、最初のＶＳＹＮＣの入力を検出した場合に、入力映像の表示開始を指示する。したがって、本実施例に係る映像処理装置１は、入力映像の表示を開始する際に入力映像の表示のために必要な制御信号を既に取得している可能性が高い。
【０１２９】
このため、本実施例の映像処理装置１は、ＶＳＹＮＣの入力を検知した直後に入力映像の表示を開始していた従来の映像処理装置よりも、入力映像の開始時に表示不良が発生することを確実に防止することができる。
【０１３０】
次に、図７を用いて、本実施例に係る映像処理装置１の変形例その１について説明する。図７は、変形例その１に係る映像処理装置の構成および地域対応テーブルを示す図である。同図に示す映像処理装置１０の構成要素のうち、図３に示した映像処理装置１と同一の構成要素について、同一の符号を付することにより説明を省略する。
【０１３１】
図７に示すように、変形例その１に係る映像処理装置１０は、切替タイミング判定部７の構成が異なる点を除けば、図３に示した映像処理装置１と同様の構成である。このため、ここでは、切替タイミング判定部７の構成および動作について説明する。
【０１３２】
図７（Ａ）に示すように、変形例その１に係る映像処理装置１０の切替タイミング判定部７は、カウンタ７１と、入力地域判定部７２と、地域対応テーブル７３とを備えている。
【０１３３】
同図に示すカウンタ７１は、映像処理装置１０が取得した１種類または複数種類の制御信号の取得数を計数するものである。また、入力地域判定部７２は、図示しないナビゲーション処理部から入力されるナビゲーション情報に基づき、映像処理装置１０の現在位置（地域）を判定する処理部である。
【０１３４】
ここで、ナビゲーション情報とは、変形例その１に係る映像処理装置１０が搭載されている車両の走行位置を示す情報である。そして、入力地域判定部７２は、ナビゲーション情報に基づき映像処理装置１０の現在位置（地域）を判定すると、図７（Ｂ）に示す地域対応テーブルを参照して、判定した地域に対応する復帰カウント値を切替タイミング判定部７内で設定する。
【０１３５】
地域対応テーブルは、図７（Ｂ）に示すように、複数種類の地域（Ａ地域、Ｂ地域、Ｃ地域・・・）と、各地域に対応した復帰カウント値（Ｎ、Ｎ＋１、Ｎ＋２・・・）とを対応付けて記憶したテーブルである。変形例その１では、各復帰カウント値は、Ｎ＜Ｎ＋１＜Ｎ＋２の関係を満たすものとする。
【０１３６】
ここでの復帰カウント値とは、切替タイミング判定部７がカウンタ７１によりカウントされた制御信号の取得数と比較する閾値に相当する値である。すなわち、切替タイミング判定部７は、これまで取得できなかった制御信号を取得した場合、取得した制御信号のパルス数をカウンタ７１によって計数する。
【０１３７】
そして、切替タイミング判定部７は、カウンタ７１によるカウント値が入力地域判定部７２により設定された復帰カウント値に達した場合に、所定の切替条件が成立したと判定し、映像切替部５へ入力映像の映像信号を選択させるための選択命令を出力することで、映像表示部２で表示させる表示映像をＭＵＴＥ映像から入力映像へ切り替える。
【０１３８】
たとえば、切替タイミング判定部７は、映像処理装置１０を搭載している車両があるＡ地域（図７（Ｂ）参照）を走行中に、これまで取得できなかった制御信号を取得した場合について説明する。
【０１３９】
切替タイミング判定部７は、映像処理装置１０を搭載している車両があるＡ地域を走行している場合、Ａ地域で制御信号をＮパルス取得したことを条件に、映像表示部２で表示させる表示映像をＭＵＴＥ映像から入力映像へ切り替える。
【０１４０】
このように、変形例その１に係る映像処理装置１０は、搭載されている車両の走行地域に応じてそれぞれ異なる復帰カウント値を記憶させている。このため、たとえば、高層ビルが連立するような地域では、映像信号の入力が度々途絶える可能性が高いため、復帰カウント値を予め比較的高く設定しておく。したがって、変形例その１に係る映像処理装置１０によれば、映像信号の入力が度々途絶えるような地域でＭＵＴＥ映像と入力映像とを頻繁に切り替えることがない。
【０１４１】
また、変形例その１に係る映像処理装置１０では、入力地域判定部７２が映像処理装置１０を搭載した車両の走行地域における映像信号の入力状態の良否に応じて地域対応テーブルを更新する。
【０１４２】
これにより、変形例その１に係る映像処理装置１０では、新たな建造物の建築が相次いだことなどで、映像信号の入力が頻繁に途絶えるようになった地域については、復帰カウント値を現状よりも高めるように地域対応テーブルの内容を変更することができる。したがって、変形例その１に係る映像処理装置１０は、搭載される車両の走行地域に応じて、入力映像とＭＵＴＥ映像との切替を適切に行うことができる。
【０１４３】
次に、図８を用いて、本実施例に係る映像処理装置１の変形例その２について説明する。図８は、変形例その２に係る映像処理装置の構成および動作を示す図である。同図に示す映像処理装置の構成要素のうち、図３に示した映像処理装置１と同一の構成要素について、同一の符号を付することにより説明を省略する。
【０１４４】
図８に示すように、変形例その２に係る映像処理装置は、映像処理部８の構成および切替タイミング判定部９の動作内容が異なる点を除けば、図３に示した映像処理装置１と同様の構成である。このため、ここでは、映像処理部８の構成および切替タイミング判定部９の動作について説明する。
【０１４５】
図８（Ａ）に示すように、変形例その２に係る映像処理装置の映像処理部８は、第１処理部８１と、第２処理部８２と映像合成部８３とを備えている。第１処理部８１と第２処理部８２とへはそれぞれ異なる映像に対応した映像信号Ｄ１、Ｄ２が入力される。
【０１４６】
第１処理部８１および第２処理部８２は、それぞれ入力される映像信号Ｄ１、Ｄ２から映像を再生して映像合成部８３へ出力する処理部である。
【０１４７】
また、映像合成部８３は、第１処理部８１および第２処理部８２からそれぞれ入力される映像を合成処理することにより生成した合成映像信号を映像切替部５へ出力する処理部である。
【０１４８】
映像合成部８３から出力された合成映像信号が映像切替部５によって選択され、映像表示部２へ出力された場合、映像表示部２では、映像信号Ｄ１、Ｄ２に対応した異なる映像が同一の表示画面に表示される。
【０１４９】
また、変形例その２に係る映像表示装置の切替タイミング判定部９は、図３に示す映像処理装置１のものと同一の機能を備えたカウンタ６１を備えている。特に、変形例その２に係る切替タイミング判定部９は、外部から入力される映像信号Ｄ１、Ｄ２に基づき、第１処理部８１および第２処理部８２の処理の実行および停止を制御する。
【０１５０】
具体的には、切替タイミング判定部９は、図８（Ｂ）に示すように、たとえば、時刻Ｔ８の時点で、第１処理部８１へ入力される映像信号Ｄ１の入力が途絶えたと判定した場合、第１処理部８１の処理を停止させる。
【０１５１】
ここで、切替タイミング判定部９は、時刻Ｔ８の時点で仮に第２処理部８２へ映像信号Ｄ２の入力が継続されていたとしても、近い将来、第２処理部８２への映像信号Ｄ２の入力が途絶えることを予測して、第２処理部８２の処理も停止させる。
【０１５２】
そして、切替タイミング判定部９は、第１および第２処理部８１、８２の処理を停止させた場合、映像切替部５へＭＵＴＥ映像の映像信号を選択させるための選択命令を出力する。
【０１５３】
ここでは、時刻Ｔ９の時点で第２処理部８２への映像信号Ｄ２の入力が途絶え、時刻Ｔ１０の時点で第２処理部８２への映像信号Ｄ２の入力が復帰するものとする。
【０１５４】
そして、切替タイミング判定部９は、時刻Ｔ１０の時点で第２処理部８２への映像信号Ｄ２の入力が復帰したと判定した場合であっても、時刻Ｔ１０の時点で第１処理部８１への映像信号Ｄ１の入力が復帰していないと判定した場合、第２処理部８２の処理の停止を継続させる。
【０１５５】
つまり、変形例その２に係る切替タイミング判定部９は、第２処理部８２への映像信号Ｄ２の入力が復帰した場合であっても、第１処理部８１への映像信号Ｄ１の入力が復帰していない場合に、近い将来、第２処理部８２への映像信号Ｄ２の入力が途絶える恐れがあることを考慮している。
【０１５６】
そして、切替タイミング判定部９は、時刻Ｔ１１の時点で、第１処理部８１への映像信号Ｄ１の入力および第２処理部８２への映像信号Ｄ２の入力がともに復帰したと判定した場合に、第１および第２処理部に処理を実行させる。
【０１５７】
このように、変形例その２に係る映像表示装置は、近い将来、第２処理部８２への入力が途絶える恐れがある映像信号Ｄ２については、映像合成部８３および映像切替部５を介して映像表示部２へ出力させることがない。
【０１５８】
このため、変形例その２に係る映像表示装置は、度々入力が途絶える恐れのある映像信号Ｄ２が原因でＭＵＴＥ映像と入力映像とが頻繁に切り替えられるような事態の発生を防止することができる。
【符号の説明】
【０１５９】
１、１０  映像処理装置
２  映像表示部
３、８  映像処理部
４  ＭＵＴＥ映像生成部
５  映像切替部
６、７、９  切替タイミング判定部
６１、７１  カウンタ
６１ａ  ＶＳＹＮＣカウンタ
６１ｂ  ＨＳＹＮＣカウンタ
６１ｃ  ＤＥカウンタ
６２  周期判定部
６２ａ  ＶＳＹＮＣ周期判定部
６２ｂ  ＨＳＹＮＣ周期判定部
６２ｃ  ＤＥ周期判定部
７２  入力地域判定部
７３  地域対応テーブル
８１  第１処理部
８２  第２処理部
８３  映像合成理部
【図１】
2011119804.tif 000003
【図２】
2011119804.tif 000004
【図３】
2011119804.tif 000005
【図４】
2011119804.tif 000006
【図５】
2011119804.tif 000007
【図６】
2011119804.tif 000008
【図７】
2011119804.tif 000009
【図８】
2011119804.tif 000010